(57)【要約】【課題】打掛錠において、幼児などが悪戯で勝手にロックレバーを回転して解錠操作することで、扉が簡単に開いてしまうのを、コスト高を招かずに防止する。【解決手段】打掛錠において、施錠時、ロックピース２５を摘んでスライドロックＳを押し込み、ロックレバーＲの回転軌道内の回転規制位置にスライド移動し、錠杆１０の基端１０ａをスライドロックＳの係合部２５ｂに係合させて、回転規制解除位置に向けて回転するのを規制し、開き扉Ｄの開閉を規制するロックレバーＲを、それが回転規制解除位置に向け回転するのを規制し、開き扉の開閉を２重にロックする構造にする。【選択図】          図１
2016053291.tif 000002
【特許請求の範囲】
【請求項１】
回動式扉又は扉枠の内側に固定したレバーベースにロックレバーを、扉枠との間を跨いで扉の開閉をロックする施錠位置又は開閉を許す解錠位置に枢軸を中心として回転自在に連結し、扉の内側から操作して施解錠する打掛錠において、
前記ロックレバーが施錠位置にあるとき、解錠位置に向けて回転するのを規制するロック手段を備えてなることを特徴とする、打掛錠。
【請求項２】
前記ロック手段は、前記ロックレバー又は該ロックレバーと連動して回転する回転体が解錠位置に向けて回転するのを規制する回転規制部材であることを特徴とする、請求項１に記載の打掛錠。
【請求項３】
前記回転規制部材は、前記ロックレバーの回転軌道内に設ける回転規制位置と回転軌道外に設ける規制解除位置の間を摺動するスライドロックを備え、前記ロックレバーが施錠位置にあるとき、前記スライドロックを、扉の内側から操作して前記回転規制位置にスライド移動可能に構成してなることを特徴とする、請求項１又は２に記載の打掛錠。
【請求項４】
外部操作部材を通す第１操作穴を扉の外側に向けて開けた非常解操作部を備え、非常解時に扉の外側から前記第１操作穴を通してする前記外部操作部材の操作で前記ロックレバーを解錠位置に回転する第１非常解機構と、
前記外部操作部材を通す扉と扉枠の間の隙間を経て前記ロック手段へ貫通する操作路を設けた規制解除操作部を備え、非常解時に前記ロック手段が前記ロックレバーの回転を規制しているとき、扉の外側から前記操作路を通してする前記外部操作部材の操作で前記ロック手段による前記ロックレバーの回転規制を解除する第２非常解機構を備えることを特徴とする、請求項１、２又は３に記載の打掛錠。
【発明の詳細な説明】
【技術分野】
【０００１】
本発明は、トイレ等に備える開き扉、折戸等の回動式扉に使用し、特に、その回動式扉の内側からロックレバーを施錠位置又は解錠位置に回転して回動式扉を施解錠する打掛錠に関する。
【背景技術】
【０００２】
従来、トイレ等に備える回動式扉に使用する打掛錠は、扉の戸先側端部の内側に取付ベースを固定し、その取付ベースにロックレバーを枢軸を中心として回転可能に連結する一方、例えば図２０に示すように、パネル状扉枠１側にロックレバー２を係脱自在に掛け止めるレバー受け３を固定し、使用時は、開き扉４の内側からロックレバー２を回転操作し、レバー受け３に対し錠杆５を係脱する簡単な操作で開き扉４を施解錠する構造になっている（特許文献１参照）。
【先行技術文献】
【特許文献】
【０００３】
【特許文献１】特開２０１０−２４６８８号公報
【発明の概要】
【発明が解決しようとする課題】
【０００４】
ところが、上述のように打掛錠は、簡単な操作で開き扉を施解錠できるが、例えばトイレに備える回動式扉に使用する打掛錠には、この施解錠操作が単純なのが災いし、母子が一緒にトイレを利用するとき、幼児が悪戯で勝手にロックレバー２を回転して解錠し、トイレの扉４を開けてしまうという問題があった。そこで、従来、トイレでは、幼児の手の届かない高さ位置にもう一個付設して対応するが、これではコストが高くなってしまうという課題があった。
【課題を解決するための手段】
【０００５】
そこで、請求項１に記載の発明は、たとえば以下に示す図示実施の形態のとおり、回動式扉Ｄ又は扉枠ｆの内側に固定したレバーベースＢにロックレバーＲを、扉枠ｆとの間を跨いで扉の開閉をロックする施錠位置又は開閉を許す解錠位置に枢軸１５を中心として回転自在に連結し、扉の内側から操作して施解錠する打掛錠において、前記ロックレバーＲが施錠位置にあるとき、解錠位置に向けて回転するのを規制するロック手段を備えてなることを特徴とする。
【０００６】
請求項２に記載の発明は、請求項１に記載の打掛錠において、たとえば以下に示す図示実施の形態のとおり、前記ロック手段は、前記ロックレバーＲ又は該ロックレバーＲと連動して回転する回転体が解錠位置に向けて回転するのを規制する回転規制部材であることを特徴とする。
【０００７】
請求項３に記載の発明は、請求項１又は２に記載の打掛錠において、たとえば以下に示す図示実施の形態のとおり、前記回転規制部材は、前記ロックレバーＲの回転軌道内に設ける回転規制位置と回転軌道外に設ける規制解除位置の間を摺動するスライダロックＳを備え、前記ロックレバーＲが施錠位置にあるとき、前記スライダロックＳを、扉の内側から操作して前記回転規制位置にスライド移動可能に構成してなることを特徴とする。
【０００８】
請求項４に記載の発明は、請求項１、２又は３に記載の打掛錠において、たとえば以下に示す図示実施の形態のとおり、外部操作部材を通す第１操作穴５５ａを扉の外側に向けて開けた非常解操作部５５を備え、非常解時に、扉の外側から前記第１操作穴５５ａを通してする前記外部操作部材の操作で前記ロックレバーＲを解錠位置に回転する第１非常解機構Ｍと、前記外部操作部材を通す開き扉Ｄと扉枠ｆの間の隙間ｒを経て前記ロック手段へ貫通する操作路Ｌを設けた規制解除操作部６５ａを備え、非常解時に前記ロック手段が前記ロックレバーＲの回転を規制しているとき、扉の外側から前記操作路Ｌを通してする前記外部操作部材の操作で前記ロック手段による前記ロックレバーＲの回転規制を解除する第２非常解機構Ｎを備えることを特徴とする。
【発明の効果】
【０００９】
本発明によれば、例えば母子が一緒に入ってトイレを利用するとき、開き扉を回動して閉めると、そのまま開き扉の内側から、いま解錠位置にあるロックレバーを施錠方向に回転し、扉枠との間を跨いで扉の開閉をロックして１度施錠する。次いで、スライドロックを、いまロックレバーの回転軌道外にある回転規制解除位置から回転軌道内にある回転規制位置に摺動し、ロックレバーが回転規制解除位置に向け回転するのを規制して扉の開閉を２重にロックする。従って、このように扉の開閉を規制するロックレバー自体を、それが回転規制解除位置に向け回転するのを規制して扉の開閉を２重にロックするから、たとえ幼児でも簡単な操作で扉を施解錠することはなく、母子一緒にトイレを利用するとき、幼児が悪戯で勝手にロックレバーを回転して解錠操作することで、扉が簡単に開いてしまうのを防止することができる。それ故、幼児の手が届かない高さ位置にもう一個扉などに付設して対応する必要をなくし、それだけコスト高になるのを防止することができる。
【００１０】
加えて、本発明によれば、ロック状態の開き扉Ｄのトイレ室内側で使用者が倒れるなど、室外から非常解する必要がある場合に、ロックレバーがロック手段により回転規制状態にあったとしても、開き扉と扉枠の間の隙間から外部操作部材を操作路に通して第２操作穴に貫挿し、先端を押し当ててロック手段を回転規制解除位置にスライド移動してロックレバーの回転規制を解除してから、同じ扉の外側から、今度は、非常解操作部の第１操作穴に外部操作部材を差し込んで回転し、第１非常解機構を働かせて非常解操作部に連結した枢軸を介してロックレバーを解錠位置へ回転すれば、簡単に且つ確実に開き扉を解錠することができる。
【図面の簡単な説明】
【００１１】
【図１】本発明の一例である打掛錠の内部構造をロックレバーの施錠状態で示す側面図
【図２】ロックレバーの解錠状態で同打掛錠を示す斜視図
【図３】ロックレバーが施錠状態でスライドロックが回転解除位置にある状態で同打掛錠を示す斜視図
【図４】同打掛錠を示す正面図
【図５】ロックレバーが施錠位置にある施錠状態で同打掛錠を示す横断面図
【図６】同打掛錠を示す分解斜視図
【図７】ロックレバーが施錠状態でスライドロックが回転解除位置にある状態で同打掛錠の動作を説明する正面図
【図８】ロックレバーが施錠状態でスライドロックが回転解除位置にある状態で同打掛錠の動作を説明する正面図
【図９】同打掛錠の動作を、ロックレバーが施錠状態でスライドロックが回転規制位置にある状態で内部構造を説明する正面図
【図１０】本発明の他例である打掛錠を示す横断面図
【図１１】同打掛錠を示す分解斜視図
【図１２】同打掛錠を角度を変えて示す分解斜視図
【図１３】同打掛錠を示す組立斜視図
【図１４】同打掛錠を外部操作部材を差し込む前において示す斜視図
【図１５】同打掛錠を第２操作穴に外部操作部材を差し込んだ状態で示す斜視図
【図１６】同打掛錠を第２操作穴に外部操作部材を差し込んだ状態で示す斜視図
【図１７】同打掛錠を第２操作穴に外部操作部材を差し込んだ状態で示す斜視図
【図１８】第２非常解機構を働かせて同打掛錠を非常解する動作を説明する横断面図
【図１９】第１非常解機構を働かせて同打掛錠を非常解する動作を説明する横断面図
【図２０】従来の打掛錠をロックレバーが施錠位置にある施錠状態で示す斜視図
【発明を実施するための形態】
【００１２】
以下、図面を参照しつつ、本発明の実施の形態について説明する。
【００１３】
本発明の打掛錠は、例えばトイレブースに適用し、図１〜図４に示すように、回動式扉の開き扉Ｄに取り付ける錠本体Ａと、レバーベースＢと、スライドロックＳおよび表示板Ｃとからなる。
【００１４】
錠本体Ａは、図５および図６に示すように、ロックレバーＲおよびロックレバーＲを回転自在に連結した錠ケースＦとからなる。ロックレバーＲは、金属製、例えばステンレス製で細長薄板状の錠杆１０を備え、錠杆１０の先端にゴム製摘み１１を取り付け、基端１０ａ寄りの板部を金属製円筒状の軸受管１２に差し込んで取り付けてなる。錠ケースＦは、金属製で、一側を開口した円形の扁平なキャップ部１３を有する。キャップ部１３には、中心の軸穴に軸受管１２を回転自在に嵌着してロックレバーＲを回転自在に保持し、軸受管１２に角柱状の枢軸１５を軸支して底面１３ａの中心から円形開口側に突設する。キャップ部１３の表側平面には、ロックレバーＲを施錠位置に載せて保持する一対のレバー受け１４・１４を突設している。
【００１５】
レバーベースＢは、外径を錠ケースＦのキャップ部１３の円形開口に合わせた樹脂製の円板で、中心に枢軸１５のボス部が嵌合可能な嵌合穴１６を設け、嵌合穴１６の内周縁に円周リブ１６ａを突設する。レバーベースＢは、その円周リブ１６ａが突出する片側板面に、中心の嵌合穴１６の両側を一段薄肉に成形して対称な位置にスライドロックＳのスライド移動を案内するガイド溝２０を凹設する。ガイド溝２０は、嵌合穴１６を間に挟んで直線的に形成し、スライドロックＳを当てて移動を回転規制位置と回転規制解除位置の間を移動する距離範囲に合わせて段付きに形成し、長さ方向両側に肩部２０ａ・２０ｂを設けてなる。
【００１６】
スライドロックＳは、樹脂製のロックピース２５と鋼製のスライド板３０とからなる。ロックピース２５は、取付部２５ａと取付部２５ａから直角に屈曲して突出する断面コ形状の係合部２５ｂを設けてなる。スライド板３０は、ロックレバーＲの回転規制位置と回転規制解除位置の間を移動する距離範囲に合わせて、レバーベースＢの円周リブ１６ａが係合する長穴からなるガイド穴３５を設けると共に、レバーベースＢのガイド溝２０に有する肩部２０ａ・２０ｂに対応させて、両側縁に対称な肩部３０ａ・３０ｂを形成している。そして、スライドロックＳは、スライド板３０の基端をロックピース２５の取付部２５ａに取り付けてＬ形に組み付けてなる。
【００１７】
表示板Ｃは、円盤状で、片面中心に枢軸１５の断面形状に合わせて回り止め形状の角穴からなる操作穴３９を軸芯に有する円筒状の軸受部４０を突設し、軸受部４０の軸心を中心とした点対称の位置に、それぞれ軸心に雌ねじ穴を螺設した一対のスタッド４５・４５を立設する。
【００１８】
そこで、図示打掛錠は、レバーベースＢのガイド溝２０にスライド板３０を嵌め込み、円周リブ１６ａをガイド穴３５に係合させて、スライドロックＳをレバーベースＢに対してガイド溝２０の長さ方向に互いの肩部２０ａ・２０ｂ、３０ａ・３０ｂが突き当たるまでの距離範囲を、スライド移動可能に装着する。一方、枢軸１５を嵌合穴１６に挿通させてレバーベースＢを、錠本体ＡにスライドロックＳを間に挟んで組み付けてレバー組立体Ｔを組み立てる。それから、レバー組立体Ｔを、開き扉Ｄの内側板面ｄ１に配置する一方、反対側の外側板面ｄ２に表示板Ｃを配置し、呼込みビス５０をスタッド４５・４５の雌ねじ穴にねじ込み、レバー組立体Ｔと表示板Ｃを開き扉Ｄに固着する。
【００１９】
さて、図示例において、例えば母子が一緒に入ってトイレを利用するとき、開き扉Ｄを回動して閉めると、そのまま開き扉Ｄの内側から、いま錠杆１０が起立姿勢の解錠位置にあるロックレバーＲを、摘み部１１を摘んで倒すように、図７中矢示する施錠方向に回転し、錠杆１０が扉枠ｆとの間を跨いで錠杆１０をレバー受け１４・１４に載置し、開き扉Ｄを一度施錠する。次いで、本発明の打掛錠は、ロックレバーＲの回転軌道外の回転規制解除位置にあるロックピース２５を摘んでスライドロックＳを押し込み、図８および図９に示すように、回転規制位置にスライド移動し、錠杆１０の基端１０ａをスライドロックＳの係合部２５ｂに係合させて、回転規制解除位置に向けて回転するのを規制し、開き扉Ｄの開閉を規制するロックレバーＳを、それが回転規制解除位置に向け回転するのを規制し、開き扉Ｄの開閉を２重にロックする。
【００２０】
従って、図示打掛錠では、このように開き扉Ｄの開閉を規制するロックレバーＲ自体を、それが回転規制解除位置に向け回転するのを規制して開き扉Ｄの開閉を２重にロックする構造であるため、いくら幼児でも簡単な操作で開き扉Ｄを施解錠するものではなく、母子一緒にトイレを利用するとき、幼児が悪戯で勝手にロックレバーＲを回転して解錠し、扉を簡単に開けるのを防止することができる。以って、幼児の手の届かない高さ位置にもう一個扉などに付設して対応する必要もなくなり、それだけコスト高になるのを防止することができる。
【００２１】
他方、開き扉Ｄを開けるときは、始めに、ロックピース２５を摘んで、ロックレバーＲの回転軌道内の回転規制位置にあるスライドロックＳを引き出し、図１、図３および図４に示すように、回転規制解除位置にスライド移動し、錠杆１０の基端１０ａからスライドロックＳの係合部２５ｂを外してロックレバーＲの回転規制解除位置への回転規制を解除する。それから、ロックレバーＲを解錠方向に回転して開き扉Ｄを解錠する。
【００２２】
ところで、上述した図示打掛錠では、ロック状態の開き扉Ｄのトイレ室内側で使用者が倒れるなど、非常時に備えて、室外側からでも非常解操作できるように、図６に示すように、室内側のロックレバーＲと連動する表示板Ｃに扉外側に向けて開けた操作穴３９を設け、非常解時に、開き扉Ｄの外側から操作穴３９を通してする外部操作部材の操作でロックレバーＲを回動して解錠する非常解構造になっている。しかし、上述した図示打掛錠では、非常解時に、ロックレバーＲがロック手段のスライドロックＳにより回転を規制されていると、扉の外側から非常解操作できないことになる。
【００２３】
そこで、本発明では、以上の図示実施の形態に代え、以下の他の実施形態に示すような構成にし、非常解時に、ロック手段のスライドロックＳがロックレバーＲの回転を規制しているときでも、扉の外側から非常解操作できるようにする。尚、上述した実施形態における構成と同一の構成には同一の符号を付し、以下に説明する。
【００２４】
そのため、本発明の打掛錠は、例えば以下の図１０〜図１９に示す他の実施形態のとおり、外部操作部材Ｋ、例えば市販の小型六角レンチを通す第１操作穴５５ａを開き扉Ｄの外側に向けて開けた非常解操作部５５を備え、非常解時に、開き扉Ｄの外側から第１操作穴５５ａを通してする外部操作部材Ｋの操作でロックレバーＲを解錠位置に回転する第１非常解機構Ｍと、外部操作部材Ｋを通す開き扉Ｄと扉枠ｆとの間の隙間ｒを経てロック手段のスライドロックＳを貫挿する操作路Ｌを設けた規制解除操作部５５を備え、非常解時にスライドロックＳがロックレバーＲの回転を規制しているとき、開き扉Ｄの外側から操作路Ｌを通してする外部操作部材Ｋの操作でスライドロックＳによるロックレバーＲの回転規制を解除する第２非常解機構Ｎを備えた構成にする。
【００２５】
即ち、図示他例の打掛錠は、図１０〜図１３に示すように、ロックレバーＲと錠ケースＦからなる錠本体Ａと、表示板Ｃと、スライドロックＳ´およびレバーベースＢ´を備える。図示他例の打掛錠の場合、これを取り付ける開き扉Ｄは、吊元側をヒンジ部により扉枠ｆに回動可能に軸釣し、打掛錠で施錠した閉扉時に、戸先側端部５１が扉枠ｆの戸先側端部５２に重なるように平行に配設し、開き扉Ｄと扉枠ｆとの間には、開き扉Ｄが扉枠ｆに当たらないように隙間ｒが形成される構造になっている。
【００２６】
表示板Ｃは、回転板５３と表示ケース５４を備える。回転板５３は、円板部５３ａの裏面中心に円筒状の非常解操作部５５を立設する。非常解操作部５５の中空穴は、円板部５３ａの中心を貫通するが、深さ方向中間穴位置から円板部５３ａ側の開口までの穴形状を、外部操作部材Ｋの小型六角レンチの断面形状に合わせて断面六角形の一段細い穴で形成する一方、反対側の穴形状を、ロックレバーＲの枢軸１５に合わせて断面四角形の角穴で形成し、中間穴位置に段差を設ける。円板部５３ａの表面は、２つに色分けし、開き扉Ｄの施解錠状態を識別する区分表示面が施されている。
【００２７】
表示ケース５４は、金属製円板の取付板５６と、取付板５６に被せる扁平な円形のキャップ５７からなる。取付板５６は、中心に回転板５３の非常解操作部５５を通す挿通穴５８を設け、挿通穴５８を中心とした点対称の位置に、それぞれ軸心に雌ねじ穴を螺設した一対のスタッド４５・４５を立設する。一方、キャップ５７は、表面中心に非常解操作部５５の中空穴を外部に臨ませる第１操作穴５５ａを設け、第１操作穴５５ａと隣接して表示窓５９を開けている。
【００２８】
レバーベースＢ´は、外径を錠ケースＦのキャップ部１３の円形開口に合わせると共に、厚さが扉枠ｆの厚さに開き扉Ｄとの隙間ｒを加えた大きさの樹脂製の肉厚な円盤で、中心に枢軸１５のボス部が嵌合可能な嵌合穴１６を設け、片側板面に、中心の嵌合穴１６の両側を一段薄肉に成形して対称な位置にスライドロックＳのスライド移動を案内するガイド溝２０を凹設する。ガイド溝２０は、嵌合穴１６を間に挟んで直線的に形成し、スライドロックＳを当てて移動を回転規制位置と回転規制解除位置の間を移動するストロークｗに合わせて段付きに形成し、長さ方向両側に肩部２０ａ・２０ｂを設ける。
【００２９】
図示他例のレバーベースＢ´は、ガイド溝２０における片側の肩部２０ｂ間に、スライドロックＳの移動ストロークｗに対応した長さの逃げ穴６１を厚さ方向に設けると共に、その逃げ穴６１と連通する第２操作穴６５を周面に開けている。第２操作穴６５は、レバーベースＢ´を開き扉Ｄに固定するときに表示板Ｃ側の周面における側縁に設ける。一方、逃げ穴側と反対の側の周面に受け台部６２を凸設してなる。
【００３０】
図示他例のスライドロックＳ´は、樹脂製のロックピース２５と、鋼製のスライド板３０に樹脂製の規制解除板片７０を加えてなり、スライド板３０の基端をロックピース２５の取付部２５ａに取り付けてＬ形に組み付ける一方、先端３０ｃに上端を固定して規制解除板片７０のＬ形に組み付ける。
【００３１】
そこで、図示他例の打掛錠は、レバーベースＢの逃げ穴６１に規制解除板片７０を係入してから、ガイド溝２０にスライド板３０を嵌め込み、スライドロックＳをレバーベースＢ´に対してガイド溝２０の長さ方向に互いの肩部２０ａ・２０ｂ、３０ａ・３０ｂが突き当たるまでの距離範囲ｗを、スライド移動可能に装着する。一方、枢軸１５を嵌合穴１６に挿通させてレバーベースＢ´を、錠本体ＡにスライドロックＳ´を間に挟んで組み付けてロックレバー組立体Ｔを組み立てる。
【００３２】
図示打掛錠は、このロックレバー組立体Ｔを開き扉Ｄの外側から、扉枠ｆとの間の隙間ｒを通して第２操作穴６５ａが臨む向きにして開き扉Ｄの内側板面ｄ１に配置する一方、反対側の外側板面ｄ２に表示板Ｃを配置し、非常解操作部５５に枢軸１５を嵌合してロックレバーＲと回転板５３を一体回転可能に連結し、呼込みビス５０をスタッド４５・４５にねじ込み、図１３に示すように、レバー組立体Ｔと表示板Ｃを開き扉Ｄに固着して組み付けられる。
【００３３】
すると、図示打掛錠には、外部操作部材Ｋの小型六角レンチを通す第１操作穴５５ａを扉の外側正面に向けて表示板Ｃに開けた非常解操作部５５を形成する。そして非常解時に扉の外側から非常解操作部５５の第１操作穴５５ａに外部操作部材Ｋを差し込んで回転すると、非常解操作部５５に連結した枢軸１５を介してロックレバーＲを解錠位置に一体に回転する第１非常解機構Ｍを構成している。
【００３４】
加えて、図示打掛錠には、外部操作部材Ｋの小型六角レンチを通す開き扉Ｄと扉枠ｆの間の隙間ｒから、レバーベースＢ´に開けた第２操作穴６５ａを経てスライドロックＳ´の規制解除板片７０へ通ずる操作路Ｌを備えた規制解除操作部６５を形成する。そして非常解時にスライドロックＳ´が回転規制位置にあってロックレバーＲの回転規制状態にあるとき、扉の外側から外部操作部材Ｋを、開き扉Ｄと扉枠ｆ間の隙間ｒから、操作路Ｌを通して第２操作穴６５ａを貫挿し、先端６０を規制解除板片７０に押し当ててスライドロックＳ´を規制解除位置に移動してロックレバーＲの回転規制を解除する第２非常解機構Ｎを構成してなる。
【００３５】
そこで、上述した図示他例の打掛錠では、ロックレバーＲが施錠位置のロック状態の開き扉Ｄのトイレ室内側で使用者が倒れるなど、非常解時は、扉の外側から非常解操作部５５の第１操作穴５５ａに外部操作部材Ｋを差し込んで回転すると、第１非常解機構Ｍが働いて非常解操作部５５に連結した枢軸１５を介してロックレバーＲを解錠位置に一体に回転し、開き扉Ｄが解錠される。
【００３６】
さてここで、本発明において、非常解時にスライドロックＳ´が回転規制位置にあってロックレバーＲの回転規制状態にあるとき、図示他例の打掛錠では、図１５に示すように、扉の外側から外部操作部材Ｋを隙間ｒから操作路Ｌを通して第２操作穴６５ａに貫挿し、図１６および図１７に示すように、先端を規制解除板片７０に押し当ててスライドロックＳ´を規制解除位置にスライド移動し、図１８に示すように、錠杆１０の基端１０ａからスライドロックＳ´の係合部２５ｂを外してロックレバーＲの回転規制解除位置への回転規制を解除する。しかる後、同じ扉の外側から、今度は、図１９に示すように、表示板Ｃにおける非常解操作部５５の第１操作穴５５ａに外部操作部材Ｋの六角レンチを差し込んで回転すると、第１非常解機構Ｍが働いて非常解操作部５５に連結した枢軸１５を介してロックレバーＲを解錠位置に一体に回転し、開き扉Ｄを解錠する。
【００３７】
従って、図示他例の打掛錠によれば、ロック状態の開き扉Ｄの室内側で使用者が倒れるなど、室外から非常解する必要がある場合に、ロックレバーＲがロック手段のスライドロックＳ´により回転規制状態にあったとしても、開き扉Ｄと扉枠ｆの間の隙間ｒから外部操作部材Ｋを操作路Ｌに通して第２操作穴６５ａに貫挿し、先端６０を規制解除板片７０に押し当ててスライドロックＳ´を回転規制解除位置にスライド移動し、錠杆１０の基端１０ａからスライドロックＳ´の係合部２５ｂを外してロックレバーＲの回転規制を解除する。しかる後に、同じ扉の外側から、今度は、表示板Ｃにおける非常解操作部５５の第１操作穴５５ａに外部操作部材Ｋを差し込んで回転し、第１非常解機構Ｍを働かせて非常解操作部５５に連結した枢軸１５を介してロックレバーＲを解錠位置へ回転し、開き扉Ｄを解錠することができる。
【００３８】
以上の図示実施の形態では、ロックレバーＲが解錠位置に向けて回転するのを規制する回転規制部材として、ロックレバーＲの回転軌道内に設ける回転規制位置と回転軌道外に設ける規制解除位置の間を摺動するスライドロックＳ・Ｓ´を備え、ロックレバーＲが施錠位置にあるとき、そのスライドロックＳ・Ｓ´を、扉の内側から操作して回転規制位置にスライド移動可能に構成した。しかし、本発明は、ロックレバーＲが施錠位置にあるとき、解錠位置に向けて回転するのを規制するロック手段であればよく、図示例のスライドロックＳ・Ｓ´のようなロック手段には限られない。ロック手段は、例えばロックレバーＲ又はロックレバーＲと連動して回転する回転体が解錠位置に向けて回転するのを規制する回転規制部材であってもよいと考えられる。
【００３９】
また、以上の図示実施の形態では、回動式扉が開き扉Ｄである例を示したが、本発明の打掛錠は、開き扉に限らず、折戸など、その他の各種回動式扉を内側から施解錠する場合にも使用することができる。
【００４０】
更に、以上の図示実施の形態では、本発明による打掛錠を開き扉Ｄに取り付けた例を示したが、反対に扉枠に取り付けて構成することもできる。
【００４１】
尚、外部操作部材Ｋも六角レンチに限られず、ドライバー等であってもよい。
【符号の説明】
【００４２】
Ａ                錠本体
Ｂ・Ｂ´          レバーベース
Ｃ                表示板
Ｄ                開き扉
Ｆ                錠ケース
Ｌ                操作路
Ｍ                第１非常解機構
Ｎ                第２非常解機構
Ｒ                ロックレバー
Ｓ・Ｓ´          スライドロック（ロック手段）
ｒ                隙間
１０              錠杆
１５              枢軸
５５              非常解操作部
５５ａ            第１操作穴
６５              規制解除操作部
６５ａ            第２操作穴
７０              規制解除板片
【図１】
2016053291.tif 000003
【図２】
2016053291.tif 000004
【図３】
2016053291.tif 000005
【図４】
2016053291.tif 000006
【図５】
2016053291.tif 000007
【図６】
2016053291.tif 000008
【図７】
2016053291.tif 000009
【図８】
2016053291.tif 000010
【図９】
2016053291.tif 000011
【図１０】
2016053291.tif 000012
【図１１】
2016053291.tif 000013
【図１２】
2016053291.tif 000014
【図１３】
2016053291.tif 000015
【図１４】
2016053291.tif 000016
【図１５】
2016053291.tif 000017
【図１６】
2016053291.tif 000018
【図１７】
2016053291.tif 000019
【図１８】
2016053291.tif 000020
【図１９】
2016053291.tif 000021
【図２０】
2016053291.tif 000022
【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
回動式扉又は扉枠の内側に固定したレバーベースにロックレバーを、扉枠との間を跨いで扉の開閉をロックする施錠位置又は開閉を許す解錠位置に枢軸を中心として回転自在に連結し、扉の内側から操作して施解錠する打掛錠において、
前記ロックレバーが施錠位置にあるとき、解錠位置に向けて回転するのを規制するロック手段を備え、非常解時に該ロック手段が前記ロックレバーの回転を規制しているとき、扉の外側から隙間を通して操作部材を操作し前記ロック手段による前記ロックレバーの回転規制を解除する構造になっていることを特徴とする、打掛錠。
【請求項２】
前記ロック手段は、前記ロックレバー又は該ロックレバーと連動して回転する回転体が解錠位置に向けて回転するのを規制する回転規制部材であることを特徴とする、請求項１に記載の打掛錠。
【請求項３】
前記回転規制部材は、前記ロックレバーの回転軌道内に設ける回転規制位置と回転軌道外に設ける規制解除位置の間を摺動するスライドロックを備え、前記ロックレバーが施錠位置にあるとき、前記スライドロックを、扉の内側から操作して前記回転規制位置にスライド移動可能に構成してなることを特徴とする、請求項１又は２に記載の打掛錠。
【請求項４】
前記操作部材を通す第１操作穴を扉の外側に向けて開けた非常解操作部を備え、非常解時に扉の外側から前記第１操作穴を通してする前記操作部材の操作で前記ロックレバーを解錠位置に回転する第１非常解機構と、
前記操作部材を通す扉と扉枠の間の前記隙間を経て前記ロック手段へ貫通する操作路を設けた規制解除操作部を備え、非常解時に前記ロック手段が前記ロックレバーの回転を規制しているとき、扉の外側から前記操作路を通してする前記操作部材の操作で前記ロック手段による前記ロックレバーの回転規制を解除する第２非常解機構を備えることを特徴とする、請求項１、２又は３に記載の打掛錠。
【手続補正２】
【補正対象書類名】明細書
【補正対象項目名】０００５
【補正方法】変更
【補正の内容】
【０００５】
そこで、請求項１に記載の発明は、たとえば以下に示す図示実施の形態のとおり、回動式扉Ｄ又は扉枠ｆの内側に固定したレバーベースＢにロックレバーＲを、扉枠ｆとの間を跨いで扉の開閉をロックする施錠位置又は開閉を許す解錠位置に枢軸１５を中心として回転自在に連結し、扉の内側から操作して施解錠する打掛錠において、前記ロックレバーＲが施錠位置にあるとき、解錠位置に向けて回転するのを規制するロック手段を備え、非常解時に該ロック手段が前記ロックレバーＲの回転を規制しているとき、扉の外側から隙間を通して操作部材を操作して前記ロック手段による前記ロックレバーＲの回転規制を解除する構造になっていることを特徴とする。
【手続補正３】
【補正対象書類名】明細書
【補正対象項目名】０００８
【補正方法】変更
【補正の内容】
【０００８】
請求項４に記載の発明は、請求項１、２又は３に記載の打掛錠において、たとえば以下に示す図示実施の形態のとおり、前記操作部材を通す第１操作穴５５ａを扉の外側に向けて開けた非常解操作部５５を備え、非常解時に、扉の外側から前記第１操作穴５５ａを通してする前記操作部材の操作で前記ロックレバーＲを解錠位置に回転する第１非常解機構Ｍと前記操作部材を通す開き扉Ｄと扉枠ｆの間の前記隙間ｒを経て前記ロック手段へ貫通する操作路Ｌを設けた規制解除操作部６５ａを備え、非常解時に前記ロック手段が前記ロックレバーＲの回転を規制しているとき、扉の外側から前記操作路Ｌを通してする前記操作部材の操作で前記ロック手段による前記ロックレバーＲの回転規制を解除する第２非常解機構Ｎを備えることを特徴とする。